(57)【要約】  【課題】履物本体に何ら細工を施すことなく、装飾品を着脱自在に取り付ける。  【解決手段】装飾体本体２１の底部２１ａには、弾性繊維からなるバンド２２の一端が取り付けられている。バンド２２の一端または底部２１ａには第１の係止半体２３が取り付けられ、バンド２２の他端には第２の係止半体２４が取り付けられている。第１の係止半体２３および第２の係止半体２４は嵌合および嵌合解除可能である。バンド２２をビーチサンダル１０の鼻緒１２に巻き付けたのち第１の係止半体２３および第２の係止半体２４の嵌合により装飾品をビーチサンダル１０に取り付ける。【選択図】図３
2010214138.tif 000002
【特許請求の範囲】
【請求項１】
履物本体と、
履物本体の天側に取り付けられた長尺部材と、
上記長尺部材に着脱可能に取り付けられる装飾部材とを有することを特徴とする履物。
【請求項２】
上記長尺部材は、鼻緒である請求項１記載の履物。
【請求項３】
上記長尺部材は、前坪である請求項１記載の履物。
【請求項４】
上記装飾部材は、装飾部材本体と、上記装飾部材本体の底部に一端が固着された帯部材とを有し、上記帯部材は、上記一端側に設けられた第１の係止部材と、上記帯部材の他端に設けられた第２の係止部材とを有し、上記第１の係止部材および上記第２の係止部材が係合して上記装飾部材が上記長尺部材に着脱可能に取り付けられる請求項１〜３のいずれかに記載の履物。
【請求項５】
上記第１の係止部材および上記第２の係止部材は相互に嵌め合わされる請求項４記載の履物。
【請求項６】
上記第１の係止部材は、嵌め合わせ面が上記底面と同じ向きになるように上記帯部材の上記一端に形成され、上記第２の係止部材は、嵌め合わせ面が上記底面と逆の向きになるように上記帯部材の上記他端に形成される請求項５記載の履物。
【請求項７】
上記帯部材は長手方向に弾力性がある請求項４〜６のいずれかに記載の履物。
【請求項８】
履物用装飾品において、
装飾品本体と、
上記装飾品本体の底部に一端が取り付けられた帯部材と、
上記帯部材の上記一端側に設けられた第１の係止部材と、
上記帯部材の他端に設けられた第２の係止部材とを有し、
上記第１の係止部材は、嵌め合わせ面が上記底面と同じ向きになるように上記帯部材の上記一端に形成され、上記第２の係止部材は、嵌め合わせ面が上記底面と逆の向きになるように上記帯部材の上記他端に形成され、上記第１の係止部材および上記第２の係止部材が嵌合して上記装飾部材が上記長尺部材に着脱可能に取り付けられることを特徴とする装飾品。
【発明の詳細な説明】
【技術分野】
【０００１】
この発明はビーチサンダル等の履物、および履物に着脱自在に取り付けられる装飾品に関する。
【背景技術】
【０００２】
ビーチサンダルでは鼻緒やその先端の前坪に花飾りやリボンを付けたものがある。しかしながら、このような飾り付きビーチサンダルは飾り物が固定であり、備え付けの飾り物に飽きた場合には他の飾り物が付いた他のビーチサンダルを別途購入することが多く、無駄になる。また、飾り物を外してシンプルな態様で使用した場合、飾り物を再度取り付けて使用することができない。
【０００３】
履物に何ら細工を施すことなく、装飾品を着脱自在に取り付けることが望まれる。
【０００４】
なお、この発明と関連する文献としては特許文献１（実開平６−８２９０８号公報）がある。この文献では草履の鼻緒に孔を設け、この孔に装飾品を取り付けることを開示している。
【先行技術文献】
【特許文献】
【０００５】
【特許文献１】実開平６−８２９０８号公報
【発明の概要】
【発明が解決しようとする課題】
【０００６】
この発明は、以上の事情を考慮してなされたものであり、履物本体に何ら細工を施すことなく、装飾品を着脱自在に取り付けることができる着脱可能な装飾品付き履物および着脱可能な装飾品を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
この発明の一側面によれば、履物が、履物本体と、履物本体の天側に取り付けられた長尺部材と、上記長尺部材に着脱可能に取り付けられる装飾部材とを有するように構成される。
【０００９】
履物は典型的にはビーチサンダル等のサンダルであるがこれに限定されない。。履物本体は例えば台であってよく、全体として一体であれば、底部、巻き部等の各部の構成に応じた別途の材料から構成しても良い。
【００１０】
長尺部材は、典型的には、鼻緒または前坪であるが、甲バンド等、履物本体の天側に取り付けられた任意の長尺部材であってよい。
【００１１】
上記装飾部材は、典型的には、装飾部材本体と、上記装飾部材本体の底部に一端が固着された帯部材とを有し、上記帯部材は、上記一端側に設けられた第１の係止部材と、上記帯部材の他端に設けられた第２の係止部材とを有し、上記第１の係止部材および上記第２の係止部材が係合して上記装飾部材が上記長尺部材に着脱可能に取り付けられる。
【００１２】
上記第１の係止部材および上記第２の係止部材は、典型的には、相互に嵌め合わされる。
【００１３】
上記第１の係止部材は、典型的には、嵌め合わせ面が上記底面と同じ向きになるように上記帯部材の上記一端に形成され、上記第２の係止部材は、嵌め合わせ面が上記底面と逆の向きになるように上記帯部材の上記他端に形成される。
【００１４】
上記帯部材は、典型的には、少なくとも、長手方向に弾力性がある。
【００１５】
また、この発明の他の側面によれば、履物用装飾品が、装飾品本体と、上記装飾品本体の底部に一端が取り付けられた帯部材と、上記帯部材の上記一端側に設けられた第１の係止部材と、上記帯部材の他端に設けられた第２の係止部材とを有するように構成され、上記第１の係止部材は、嵌め合わせ面が上記底面と同じ向きになるように上記帯部材の上記一端に形成され、上記第２の係止部材は、嵌め合わせ面が上記底面と逆の向きになるように上記帯部材の上記他端に形成され、上記第１の係止部材および上記第２の係止部材が嵌合して上記装飾部材が上記長尺部材に着脱可能に取り付けられる。
【００１６】
この発明の上述の側面およびこの発明の他の側面は特許請求の範囲に記載され、以下、実施例を用いて詳細に説明される。
【発明の効果】
【００１７】
この発明によれば、履物本体に何ら細工を施すことなく、装飾品を着脱自在に取り付けることができる。
【図面の簡単な説明】
【００１８】
【図１】この発明の実施例のビーチサンダルセットを示す図である。
【図２】上述実施例のビーチサンダルを全体として示す斜視図である。
【図３】上述実施例の装飾品のバンドの例を示す図である。
【図４】上述実施例の装飾品のバンドの係止半体の構成例を示す図である。
【図５】図４の係止半体の取付状態を示す図である。
【図６】上述装飾品をビーチサンダルに取り付ける態様を説明する図である。
【図７】取付状態の係止半体および装飾品の位置関係を説明する図である。
【図８】上述装飾品が取り付けられた状態のビーチサンダルを示す図である。
【図９】この発明の変形例を説明する図である。
【発明を実施するための形態】
【００１９】
以下、この発明をビーチサンダルに適用した実施例について説明する。なお、この発明はビーチサンダルへの適用に限定されるものではなく、鼻緒や前坪や甲バンド等の長尺部材を具備する履物に広く適用可能である。
【００２０】
図１は、実施例のビーチサンダルセット１００を示しており、ビーチサンダルセット１００は、一足のビーチサンダル１０、１０、装飾品２０をなす、リボン２０Ａ、２０Ａ、花飾り２０Ｂ、２０Ｂ、を含んで構成されている。装飾品２０の種類、個数は種々に選定できる。ビーチサンダル１０は、図２にも示すように、通常のビーチサンダルと同様に、台部１１、台部１１の天１１ａに取り付けられた鼻緒１２および前坪１３を含んで構成される。ビーチサンダル１０の各部は、通常のビーチサンダルと同様に、適切な材料、例えば、ＥＶＡ（エチレン酢酸ビニル）ポリマー、ＰＶＣ（ポリ塩化ビニル）ポリマー等の合成樹脂、天然ゴム等から構成できる。台部１１は、全体として一体であれば、底部、巻き部等の各部の構成に応じた別途の材料から構成しても良い。
【００２１】
装飾品２０（リボン２０Ａおよび花飾り２０Ｂ）は、それぞれ布地を組みあわせて構成された装飾品本体２１を有し、図３にも示すように、装飾品本体２１の底部（裏側に位置する部分）２１ａには、弾性繊維（平ゴム）からなるバンド２２の一端が取り付けられている。なお、底部２１ａは装飾体本体２１の裏面全体と区別なく構成されて良く、また、他の補助布等で別体に構成されても良い。バンド２２の長さは後述する装飾品２０（リボン２０Ａおよび花飾り２０Ｂ）を鼻緒１２等に取り付けるのに適したものであり、典型的には７ｃｍ程度であるが、これに限定されない。バンド２２の一端側、すなわち底部２１ａには第１の係止半体２３が取り付けられ、バンド２２の他端には第２の係止半体２４が取り付けられている。図３に破線で示すように、第１の係止半体２３および第２の係止半体２４は、バンド２２の表裏の別の面に取り付けられている。なお、図３や後述の図７では示さないが、第２の係止半体２４とともにバンド２２を挟むようにボタン部材が配置され（図３の紙面側）、このボタン部材を第２の係止半体２４と一体にしてバンド２２を挟む付けて第２の係止半体２４がバンド２２に取り付けられるようになっているが、これに限定されない。
【００２２】
第１の係止半体２３は図４（ａ）に示す雌型のスナップロック用のボタン状の係止半体であり、環状の突起２３ａを具備する。第２の係止半体２４は図４（ｂ）に示すような雄型のスナップロック用のボタン状の係止半体であり、環状の突起２４ａを有する。第１の係止半体２３および第２の係止半体２４の全体の径はこれに限定されないが例えば１ｃｍである。底部２１ａ側のバンド２２の一端に雄型の第２の係止半体２４が取り付けられ、バンド２２の他端に雌型の係止半体２３が取り付けられても良い。第１の係止半体２３および第２の係止半体２４は例えば図５に示すように嵌合される。嵌合状態の第１の係止半体２３および第２の係止半体２４の間には隙間があり、例えば、この隙間に硬い薄物を際入れる等して力を加えて両者を引き離しその嵌合を解除できる。
【００２３】
図６は、装飾品２０（リボン２０Ａ）をビーチサンダル１０の鼻緒１２に巻き付けて取り付ける態様を示している。図６の例では、［１］、［２］、［３］、［４］の手順でバンド２２を若干引っ張りながら鼻緒１２および前坪１３の結合部位置で鼻緒１２に前坪１３の右および左位置で巻き付ける。巻き付けた状態では、図７で示すように鼻緒１２の上側面１２ａに第１の係止半体２３、第２の係止半体２４、および装飾品本体２１が一体に構成され、装飾品が鼻緒１２に確実に取り付けられる。なお、第１の係止半体２３および第２の係止半体２４をバンド２２の同一面に取り付けてもよい。この場合には、バンド２２の表裏をその長さ方向の途中で反転させて第１の係止半体２３および第２の係止半体２４が嵌合可能なようにする。
【００２４】
図８はリボン２０Ａおよび花飾り２０Ｂを取り付けたビーチサンダル１０を示す。
【００２５】
なお、上述の例では、バンド２２の第１の係止半体２３および第２の係止半体２４を嵌め合わせて装飾品２０をビーチサンダル１０に着脱自在に取り付けたけれども、第１の係止半体２３および第２の係止半体２４を磁力、ネジ合わせ、面ファスナ等の着脱可能な取り付け手法により着脱自在に結合させて良い。また、バンド２２をビーチサンダル（履物）に上述と同様に着脱可能に取り付け、さらに装飾品２０をバンド２２に着脱自在に取り付けても良い。装飾品２０とバンド２２との結合も第１の係止半体２３および第２の係止半体２４と類似のスナップロック、その他種々の着脱可能な取り付け手法を採用して良い。
【００２６】
また、上述の例では、鼻緒１２と前坪１３との結合位置にバンド２２を巻き付けたけれども、巻き付け位置はこれに限定されず、鼻緒１２の任意の位置、または前坪１３の任意の位置に巻き付けて良い。また、図９に示すような甲バンド３１を有する履物３０の場合には甲バンド３１に装飾品取付用のバンド２２を巻き付けて取り付けて良い。バンド２２は履物の天側３０ａに取り付けられたストラップ（図示しない）等、その他の任意の長尺部材に取り付けて良い。
【００２７】
また、上述の例では、ビーチサンダル等の履物の長尺部材に装飾品を取り付けるようにしたけれども、以上で説明した装飾品は、それに限定されず、文房具、ストラップ、時計ベルト、腰ベルト、鞄の把手（例えば、ビーチサンダル等を収納するビーチ用のバッグの把手であるが、これに限定されない）等、任意の製品の任意の長尺部材に着脱自在に取り付けられる装飾品として構成できる。すなわち、ここに開示した装飾品は、装飾品本体と、上記装飾品本体の底部に一端が取り付けられた帯部材と、上記帯部材の上記一端側に設けられた第１の係止部材と、上記帯部材の他端に設けられた第２の係止部材とを有し、上記第１の係止部材は、嵌め合わせ面が上記底面と同じ向きになるように上記帯部材の上記一端に形成され、上記第２の係止部材は、嵌め合わせ面が上記底面と逆の向きになるように上記帯部材の上記他端に形成され、上記第１の係止部材および上記第２の係止部材が嵌合して上記装飾部材が上記長尺部材に着脱可能に取り付けられることを特徴とする装飾品として構成できる。
【００２８】
上述の例では、バンド２２は装飾品２０に例えば第１の係止部材２３により回動自在に取り付けられている。このような構成により例えば装飾品がリボン等その配位によって美観が異なる場合には、取り付ける長尺部材に対して任意の角度にも取付可能であり、また、時宜に応じてその角度位置を修正できる。例えば、鞄の把手に取り付ける際には把手の長手方向にリボンの長手方向を整合させると取り付けが容易である反面（もちろん取り付け作業時の配位は任意であり、これに限定されない）、取り付け後の美観上、把手の長手方向に角度をもたせて配置したほうがよいので、このような回動可能な構成は有益である。
【符号の説明】
【００２９】
１０    ビーチサンダル
１１    台部
１１ａ    天
１２    鼻緒
１３    前坪
２０    装飾品
２０Ａ    リボン
２０Ｂ    花飾り
２１    装飾品本体
２１ａ    底部
２２    バンド
２３    第１の係止半体
２４    第２の係止半体
１００    ビーチサンダルセット
【図３】
2010214138.tif 000003
【図４】
2010214138.tif 000004
【図５】
2010214138.tif 000005
【図１】
2010214138.tif 000006
【図２】
2010214138.tif 000007
【図６】
2010214138.tif 000008
【図７】
2010214138.tif 000009
【図８】
2010214138.tif 000010
【図９】
2010214138.tif 000011